(57)【要約】【課題】昇降路の内部空間を有効に利用することができるエレベータ装置を得る。【解決手段】昇降路１００を昇降するかご１およびカウンタウエイト２と、かご１およびカウンタウエイト２に渡って設けられたロープ３と、ロープ３が巻き掛けられた綱車を有し、綱車が回転することにより、かご１およびカウンタウエイト２を昇降させる巻上機４と、巻上機４を制御するエレベータ制御装置６とを備え、エレベータ制御装置６は、カウンタウエイト２に内蔵されている。【選択図】図１
2013252929.tif 000002
【特許請求の範囲】
【請求項１】
昇降路を昇降するかごおよびカウンタウエイトと、
前記かごおよび前記カウンタウエイトに渡って設けられた懸架部材と、
前記懸架部材が巻き掛けられた綱車を有し、前記綱車が回転することにより、前記かごおよび前記カウンタウエイトを昇降させる巻上機と、
前記巻上機を制御するエレベータ制御装置と
を備え、
前記エレベータ制御装置は、前記カウンタウエイトに内蔵されていることを特徴とするエレベータ装置。
【請求項２】
前記カウンタウエイトは、前記カウンタウエイトに衝撃が加えられた場合に、その衝撃力が前記エレベータ制御装置に伝達されることを緩和する緩衝装置を有していることを特徴とする請求項１に記載のエレベータ装置。
【請求項３】
前記カウンタウエイトの下方に設けられたカウンタウエイト用バッファと、
前記カウンタウエイトと前記カウンタウエイト用バッファとの衝突を検出する衝突検出装置と
をさらに備え、
前記衝突検出装置が前記カウンタウエイトと前記カウンタウエイト用バッファとの衝突を検出する場合に、前記エレベータ制御装置から前記巻上機への電力の供給が遮断されることを特徴とする請求項１または請求項２に記載のエレベータ装置。
【請求項４】
前記かごには、前記かごが前記カウンタウエイトと対向する位置にある場合に、前記かご内からの前記カウンタウエイトの目視が可能となる窓が形成されていることを特徴とする請求項１ないし請求項３の何れか１項に記載のエレベータ装置。
【発明の詳細な説明】
【技術分野】
【０００１】
この発明は、かごおよびカウンタウエイトが昇降路を昇降するエレベータ装置に関する。
【背景技術】
【０００２】
従来、油圧式のエレベータ装置からリニューアルされたつるべ式のエレベータ装置であって、昇降路を昇降するかごおよびカウンタウエイトを備えたエレベータ装置が知られている（例えば、特許文献１参照）。
【先行技術文献】
【特許文献】
【０００３】
【特許文献１】特開２００６−３４７７２７号公報
【発明の概要】
【発明が解決しようとする課題】
【０００４】
しかしながら、かごおよびカウンタウエイトの昇降を制御するエレベータ制御装置を昇降路に設置する場合に、エレベータ制御装置を昇降路に対して固定すると、かごとエレベータ制御装置との衝突を防止するために、かごの移動領域を狭めて設定しなければならない。その結果、昇降路の内部空間を有効に利用することができないという問題点があった。
【０００５】
この発明は、昇降路の内部空間を有効に利用することができるエレベータ装置を提供するものである。
【課題を解決するための手段】
【０００６】
この発明に係るエレベータ装置は、昇降路を昇降するかごおよびカウンタウエイトと、前記かごおよび前記カウンタウエイトに渡って設けられた懸架部材と、前記懸架部材が巻き掛けられた綱車を有し、前記綱車が回転することにより、前記かごおよび前記カウンタウエイトを昇降させる巻上機と、前記巻上機を制御するエレベータ制御装置とを備え、前記エレベータ制御装置は、前記カウンタウエイトに内蔵されている。
【発明の効果】
【０００７】
この発明に係るエレベータ装置によれば、エレベータ制御装置がカウンタウエイトに内蔵されているので、エレベータ制御装置を昇降路に設置するためにかごの移動領域を狭める必要がなくなり、昇降路の内部空間を有効に利用することができる。
【図面の簡単な説明】
【０００８】
【図１】この発明の実施の形態１に係るエレベータ装置を示す側面図である。
【図２】図１のカウンタウエイトおよびエレベータ制御装置を示す正面図である。
【発明を実施するための形態】
【０００９】
実施の形態１．
図１はこの発明の実施の形態１に係るエレベータ装置を示す側面図である。図において、エレベータ装置は、昇降路１００を昇降するかご１およびカウンタウエイト２と、かご１およびカウンタウエイト２に渡って設けられたロープ（懸架部材）３と、ロープ３が巻き掛けられた綱車を有し、綱車が回転することにより、かご１およびカウンタウエイト２を昇降させる巻上機４と、巻上機４から水平方向に離れて設けられ、ロープ３が巻き掛けられたそらせ車５と、巻上機４を制御するエレベータ制御装置６とを備えている。
【００１０】
また、エレベータ装置は、カウンタウエイト２の下方に設けられたカウンタウエイト用バッファ７と、カウンタウエイト２とカウンタウエイト用バッファ７との衝突を検出する衝突検出装置８と、作業者に操作される一対の強制運転装置９とを備えている。
【００１１】
エレベータ制御装置６の制御により巻上機４の綱車が回転することによって、ロープ３が移動し、かご１およびカウンタウエイト２が互いに反対方向に昇降路１００を昇降する。
【００１２】
エレベータ制御装置６は、カウンタウエイト２に内蔵されている。したがって、エレベータ制御装置６は、カウンタウエイト２とともに昇降路１００を昇降する。エレベータ制御装置６とかご１との間には、コンペンチェーンのように制御ケーブル（図示せず）が設けられている。エレベータ制御装置６およびかご１は、エレベータ制御装置６とかご１との間に設けられた制御ケーブルを用いて、互いに通信を行う。
【００１３】
エレベータ制御装置６とピット内固定機器（図示せず）との間には、制御ケーブルが設けられている。エレベータ制御装置６およびピット内固定機器は、エレベータ制御装置６とピット内固定機器との間に設けられた制御ケーブルを用いて、互いに通信を行う。
【００１４】
エレベータ制御装置６には、外部から電力が供給される電源ケーブル（図示せず）が設けられている。また、エレベータ制御装置６には、エレベータ制御装置６から巻上機４への電力を供給するための電源ケーブルが設けられている。
【００１５】
カウンタウエイト用バッファ７は、昇降路１００のピット１０１に設置されている。カウンタウエイト２が落下する場合に、カウンタウエイト用バッファ７がカウンタウエイト２に発生する衝撃を緩和する。
【００１６】
衝突検出装置８は、カウンタウエイト２の下部に設けられている。衝突検出装置８は、カウンタウエイト２とカウンタウエイト用バッファ７との衝突を検出する場合に、カウンタウエイト２とカウンタウエイト用バッファ７との衝突の発生を示す衝突信号をエレベータ制御装置６に送信する。エレベータ制御装置６は、衝突信号を衝突検出装置８から受信すると、エレベータ制御装置６から巻上機４への電力の供給を遮断して、かご１およびカウンタウエイト２の昇降を停止させる。
【００１７】
強制運転装置９は、最上階および最下階のそれぞれに設置されている。作業者が強制運転装置９を操作することにより、かご１およびカウンタウエイト２が昇降路１００を昇降して、作業者がいる最上階または最下階に移動する。これにより、作業者は、エレベータ制御装置６を容易に目視確認することができる。
【００１８】
図２は図１のカウンタウエイト２およびエレベータ制御装置６を示す正面図である。図において、カウンタウエイト２は、ロープ３の端部が接続された枠部２１と、枠部２１に設けられたカウンタウエイト本体２２と、カウンタウエイト本体２２に設けられエレベータ制御装置６を支持する緩衝装置２３とを有している。緩衝装置２３は、ばねから構成されている。緩衝装置２３は、カウンタウエイト２がカウンタウエイト用バッファ７に衝突する場合など、カウンタウエイト２に衝撃が加えられた場合に、その衝撃力がエレベータ制御装置６に伝達されることを緩和する。なお、緩衝装置２３は、ばねに限らず、衝撃力がエレベータ制御装置６に伝達することを緩和することができる装置であればよい。
【００１９】
以上説明したように、この発明の実施の形態１に係るエレベータ装置によれば、エレベータ制御装置６がカウンタウエイト２に内蔵されているので、エレベータ制御装置６を昇降路１００に設置するためにかご１の移動領域を狭める必要がなくなり、昇降路１００の内部空間を有効に利用することができる。また、既設の昇降路１００を利用して、油圧式のエレベータ装置からつるべ式のエレベータ装置にリニューアルする場合に、かご１の移動領域を小さくする必要がなくなる。これにより、かご１の大きさを縮小することなく、エレベータ制御装置６を昇降路１００に設置することができる。また、エレベータ制御装置６がカウンタウエイト２とともに昇降路１００を昇降するので、エレベータ制御装置６を冷却することができる。
【００２０】
また、カウンタウエイト２は、カウンタウエイト２に衝撃が加えられた場合に、その衝撃力がエレベータ制御装置６に伝達されることを緩和する緩衝装置２３を有しているので、カウンタウエイト２がカウンタウエイト用バッファ７に衝突する場合に、エレベータ制御装置６への衝撃を緩和することができる。
【００２１】
カウンタウエイト２の下方に設けられたカウンタウエイト用バッファ７と、カウンタウエイト２とカウンタウエイト用バッファ７との衝突を検出する衝突検出装置８とを備え、衝突検出装置８がカウンタウエイト２とカウンタウエイト用バッファ７との衝突を検出する場合に、エレベータ制御装置６から巻上機４への電力の供給が遮断されるので、カウンタウエイト２とカウンタウエイト用バッファ７とが衝突することによりエレベータ制御装置６に故障が発生した場合に、かご１およびカウンタウエイト２が暴走することを防止することができる。
【００２２】
なお、上記実施の形態１では、最上階および最下階に強制運転装置９が設置され、作業者が、強制運転装置９を操作してカウンタウエイト２を最上階または最上階に移動させて、エレベータ制御装置６を目視確認する例について説明したが、かご１には、かご１がカウンタウエイト２と対向する位置にある場合に、かご１内からのカウンタウエイト２の目視が可能となる窓が形成され、作業者が、かご１に乗り、かご１がカウンタウエイト２と対向する位置にかご１を移動させて、エレベータ制御装置６を目視確認してもよい。
【符号の説明】
【００２３】
１  かご、２  カウンタウエイト、３  ロープ（懸架部材）、４  巻上機、５  そらせ車、６  エレベータ制御装置、７  カウンタウエイト用バッファ、８  衝突検出装置、９  強制運転装置、２１  枠部、２２  カウンタウエイト本体、２３  緩衝装置、１００  昇降路、１０１  ピット。
【図１】
2013252929.tif 000003
【図２】
2013252929.tif 000004